(57)【要約】【課題】洗浄対象表面、装置の始動時、停止後での液ダレ及び液の滞留、ポンプ及び液供給路の腐蝕又は損傷を防止して、装置の耐久性を向上する。【解決手段】粒径２０〜５０μｍ、３５〜４５℃の霧を噴霧して対象体を洗浄する。加圧された抗菌又は殺菌作用を有する洗浄液７を、主パイプＲ１  及び、液熱加熱ユニット２３とこれに内挿されるヘリカルブロック２３Ａ  の表面に設けた溝により形成される洗浄液の流路、を介してノズル２１に供給し噴霧する。空気加熱ヒータ２４と送風ファン２５により、前記霧の周囲を包むように温風を送出する。噴霧開始前に前記Ｒ１  及びＰ内に残留する空気を抜く処理を行い、噴霧停止後に前記Ｒ１  及びＰに残留する洗浄液を抜く処理を行う。噴霧開始時に、前記溝の幅を最適にしてバルブＶ１  からノズル迄の間に滞留する空気を液圧で短時間に空気抜きする。【選択図】        図１
2004313933.tif 000002
【特許請求の範囲】
【請求項１】
洗浄対象体への到達時点で、粒径が２０〜５０μｍで且つその温度が３５〜４５゜Ｃの霧を噴霧して対象体を洗浄する霧洗浄器であって、
前記到達点の温度より高温で且つ所定の洗浄液圧で所定の粒径（２０〜５０μｍ）の霧を噴射する霧発生機構と、前記霧発生機構から噴射する霧の温度以上の温風を霧の周囲を包むようにして洗浄対象物の方向に所定の風量の温風を送出する温風発生機構と、前記霧発生機構における霧の温度及び洗浄液の印加圧力、温風発生機構における風の温度及び風量並びに前記霧発生機構及び温風発生機構の起動、停止及びバルブの開閉を制御する制御機構と、装置の始動及び停止を行うメインスイッチ、霧の温度を設定する霧温度スイッチ、霧の速度を設定する風速スイッチ及び液抜き処理を行う液抜きスイッチ等が設置された操作部と、前記メインスイッチ、液抜きスイッチ、アラーム等の状態を表示する表示部と、からなることを特徴とする霧洗浄器。
【請求項２】
前記霧発生機構は、霧をその先端から洗浄対象体の方向に噴射するノズルと、その一端をノズルに他端を主パイプに接続する円筒状の洗浄液熱加熱ユニットと、前記洗浄液熱加熱ユニット内にその内壁に密着して内挿され、その表面にヘリカル状の（洗浄液又は内部に滞留する空気の通路となる）溝が形成された円柱状のヘリカルブロックと、洗浄液タンクに蓄えられた洗浄液をポンプの圧力によりノズル及び洗浄液熱加熱ユニットとヘリカルブロックの溝からなる洗浄液供給路に供給する主パイプと、その先端が主パイプの途中に接続し、主パイプ内に残存する洗浄液又は空気を抜くための副パイプと、洗浄液熱加熱ユニットの外周を取り囲むように設置され、主パイプから供給される洗浄液を所定温度に加熱する洗浄液加熱手段と、主パイプ内の洗浄液を所定の圧力に加圧するポンプと、ノズルへの洗浄液の供給を導通又は遮断するノズル開閉バルブ（Ｖ１  ）と、前記主パイプと副パイプの分岐点に設置され、主パイプのノズル側、主パイプのポンプ側、副パイプ側の夫々の導通又は遮断する分岐点開閉バルブ（Ｖ２  ）と、主パイプのポンプと洗浄液タンクとの間の空気吸入孔近傍に設けられ、主パイプと空気吸入孔の夫々の導通又は遮断する空気吸入孔開閉バルブ（Ｖ３  ）と、洗浄液タンクと、からなることを特徴とする請求項１に記載の霧洗浄器。
【請求項３】
前記ノズルは、洗浄液圧が所定値以下の時に、ノズル孔を閉じるシャッター機構を設け、噴霧動作開始前及び停止後にノズルからの洗浄液の液漏れを防止することを特徴とする請求項２に記載の霧洗浄器。
【請求項４】
前記洗浄液熱加熱ユニットと洗浄液熱加熱ユニットに内挿するヘリカルブロックとの間に形成された溝により形成された空間を洗浄液の流路として用い、噴霧動作開始時にノズル開閉バルブ（Ｖ１  ）からノズル迄の間に滞留する空気を短時間に空気抜きすることを特徴とする請求項２に記載の霧洗浄器。
【請求項５】
前記温風発生機構は、所定の風量の風を送出する送風ファンと、前記風を所定の温度に加熱する温風加熱手段と、からなることを特徴とする請求項１に記載の霧洗浄器。
【請求項６】
噴霧動作の開始時は、前記温風発生機構の起動後、前記霧発生機構のポンプを起動させることを特徴とする請求項１、２又は５に記載の霧洗浄器。
【請求項７】
噴霧動作の開始時は、前記温風発生機構及び前記霧発生機構のポンプを略同時に起動させることを特徴とする請求項１、２又は５に記載の霧洗浄器。
【請求項８】
噴霧動作の停止時は、前記温風発生機構及び前記霧発生機構のポンプを略同時に停止させることを特徴とする請求項１、２又は５に記載の霧洗浄器。
【請求項９】
噴霧動作の開始前に主パイプ及びポンプ内に残留する空気を抜く空気抜き処理を行うことを特徴とする請求項１又は２に記載の霧洗浄器。
【請求項１０】
前記空気抜き処理は、前記ノズル開閉バルブ（Ｖ１  ）を遮断状態にして、ノズルへの洗浄液の供給を遮断し、前記分岐点開閉バルブ（Ｖ２  ）のポンプ側の主パイプ及び副パイプを導通状態にし、ノズル側の主パイプを遮断状態にし、前記空気吸入孔開閉バルブ（Ｖ３  ）の空気吸入孔を遮断状態にし、同主パイプ側を導通状態にして、主パイプから副パイプへ所定の圧力に加圧した洗浄液を流すことにより、ポンプ及び主パイプの一部に残留する空気を抜きを行うことを特徴とする請求項９に記載の霧洗浄器。
【請求項１１】
噴霧動作の停止（温風発生機構及び霧発生機構のポンプの停止）後にポンプ及び主パイプの一部に残留する洗浄液を抜く液抜き処理を行うことを特徴とする請求項１又は２に記載の霧洗浄器。
【請求項１２】
前記液抜き処理は、前記ノズル開閉バルブ（Ｖ１  ）を遮断状態にし、前記分岐点開閉バルブ（Ｖ２  ）のポンプ側の主パイプを導通状態にし、同副パイプ側を導通状態にし、前記空気吸入孔開閉バルブ（Ｖ３  ）の空気吸入孔を導通状態にし、同主パイプの洗浄液タンク側を遮断状態にして、空気吸入孔から取り込んだ空気をポンプにより加圧した空気を主パイプ、副パイプの流路で流すことにより、ポンプ及び主パイプの一部に残留する洗浄液を洗浄液タンクに落下させて残留洗浄液の液抜きを行うことを特徴とする請求項１１に記載の霧洗浄器。
【請求項１３】
前記洗浄液は水を主成分とし、抗菌又は殺菌作用を有することを特徴とする請求項１、２、３、４、１０、１１又は１２に記載の霧洗浄器。
【発明の詳細な説明】
【０００１】
【発明の属する技術分野】
本発明は、適温の霧を洗浄対象に噴射して洗浄する霧洗浄器に関する。
【０００２】
【従来の技術】
従来の霧洗浄器として、洗浄対象体に粒径５０〜８００μｍの湯水を噴霧して洗浄する洗浄装置（例えば、特許文献１参照。）がある。この洗浄装置は前記粒径５０〜８００μｍの湯水を噴霧するため、洗浄対象体に噴霧した湯水が流れ落ちるため浴室等の湯水が流れ落ちもよい場所でしか利用することができないという問題があった。
【０００３】
また、洗浄対象体に噴霧した洗浄液が流れ落ちるのを防止するため、洗浄対象体に噴霧された洗浄液を吸引する洗浄液吸引部を設けた霧洗浄装置（例えば、特許文献２参照。）がある。この洗浄装置は洗浄対象体に噴霧する霧の粒径が大きいために洗浄液が洗浄対象体表面から液ダレし、これを吸引する手段を設けるもので、装置が大型且つ複雑となり、コストが増大とするという問題があった。
【０００４】
また、洗浄液が洗浄対象体表面から液ダレしない程度の粒径１００μｍ以内の霧を噴霧して洗浄する洗浄装置（例えば、特許文献３参照。）がある。この洗浄装置は前記粒径の霧を噴霧する噴霧口の周囲に温風又は熱線噴出口を設けて、噴霧された霧を温風で加熱、加速させて洗浄対象体に噴射するもので、汚れを落としたい場合は霧の粒径を５〜１０μｍにするものである。しかし、前記霧洗浄装置においては、噴霧動作開始前後、噴霧動作後に噴霧ノズルから洗浄液の液ダレが発生したり、噴霧動作停止後は、霧洗浄装置内部の洗浄液の通路となるパイプ等に洗浄液が滞留したままであるため、洗浄液の腐敗又は化学反応等により、パイプの汚染、ノズルの目詰まり、その他の機器の故障等の原因となるという問題があった。
【０００５】
【特許文献１】
特開平１０−３０９２４２号公報
【特許文献２】
特開平１１−１９６０３号公報
【特許文献３】
特開平２−１０７２１５号公報
【０００６】
【発明が解決しようとする課題】
本発明は前記問題点を解消するためのもので、本発明の目的は、
本発明の霧洗浄器は、粒径が２０〜５０μｍで、霧の温度が３５〜４５゜Ｃの霧を洗浄対象体に噴霧するので、皮膚表面に浮き出た余分な水分と皮膚表面に付着又は存在するよごれ物質は皮膚表面上で表面張力により水玉模様となり皮膚に付着した状態に留まり液ダレを防止することである。
【０００７】
本発明の霧洗浄器は、噴霧動作開始前に空気抜き処理を行うことにより、ポンプ及び液供給路内に残留する空気を除去して、噴霧動作開始時に洗浄液の液圧及び液温を短時間で設定値に設定することである。
【０００８】
本発明の霧洗浄器は、ノズルにノズルシャッター及びノズル開閉バルブ等を設けることにより、ノズル先端からの液ダレを防止することである。
【０００９】
本発明の霧洗浄器は、噴霧動作停止後に液抜き処理を行うことにより、ポンプ及び液供給路内に残留する洗浄液を洗浄液タンクに排出することにより、ポンプ及び液供給路の腐蝕又は損傷を防止して、装置の耐久性を向上することである。
【００１０】
本発明の霧洗浄器は、噴霧動作開始にノズル内部に滞留する空気を短時間に排出することである。
【００１１】
【課題を解決するための手段】
（１）本発明は、洗浄対象体への到達時点で、粒径が２０〜５０μｍで且つその温度が３５〜４５゜Ｃの霧を噴霧して対象体を洗浄する霧洗浄器であって、
前記到達点の温度より高温で且つ所定の洗浄液圧で所定の粒径（２０〜５０μｍ）の霧を噴射する霧発生機構と、前記霧発生機構から噴射する霧の温度以上の温風を霧の周囲を包むようにして洗浄対象物の方向に所定の風量の温風を送出する温風発生機構と、前記霧発生機構における霧の温度及び洗浄液の印加圧力、温風発生機構における風の温度及び風量並びに前記霧発生機構及び温風発生機構の起動、停止及びバルブの開閉を制御する制御機構と、装置の始動及び停止を行うメインスイッチ、霧の温度を設定する霧温度スイッチ、霧の速度を設定する風速スイッチ及び液抜き処理を行う液抜きスイッチ等が設置された操作部と、前記メインスイッチ、液抜きスイッチ、アラーム等の状態を表示する表示部と、からなる霧洗浄器である。
【００１２】
（２）本発明は、前記霧発生機構が、霧をその先端から洗浄対象体の方向に噴射するノズルと、その一端をノズルに他端を主パイプに接続する円筒状の洗浄液熱加熱ユニットと、前記洗浄液熱加熱ユニット内にその内壁に密着して内挿され、その表面にヘリカル状の（洗浄液又は内部に滞留する空気の通路となる）溝が形成された円柱状のヘリカルブロックと、洗浄液タンクに蓄えられた洗浄液をポンプの圧力によりノズル及び洗浄液熱加熱ユニットとヘリカルブロックの溝からなる洗浄液供給路に供給する主パイプと、その先端が主パイプの途中に接続し、主パイプ内に残存する洗浄液又は空気を抜くための副パイプと、洗浄液熱加熱ユニットの外周を取り囲むように設置され、主パイプから供給される洗浄液を所定温度に加熱する洗浄液加熱手段と、主パイプ内の洗浄液を所定の圧力に加圧するポンプと、ノズルへの洗浄液の供給を導通又は遮断するノズル開閉バルブ（Ｖ１  ）と、前記主パイプと副パイプの分岐点に設置され、主パイプのノズル側、主パイプのポンプ側、副パイプ側の夫々の導通又は遮断する分岐点開閉バルブ（Ｖ２  ）と、主パイプのポンプと洗浄液タンクとの間の空気吸入孔近傍に設けられ、主パイプと空気吸入孔の夫々の導通又は遮断する空気吸入孔開閉バルブ（Ｖ３  ）と、洗浄液タンクと、からなる前記（１）に記載の霧洗浄器である。
【００１３】
（３）本発明は、前記ノズルが、洗浄液圧が所定値以下の時に、ノズル孔を閉じるシャッター機構を設け、噴霧動作開始前及び停止後にノズルからの洗浄液の液漏れを防止する前記（２）に記載の霧洗浄器である。
【００１４】
（４）本発明は、前記洗浄液熱加熱ユニットと洗浄液熱加熱ユニットに内挿するヘリカルブロックとの間に形成された溝により形成された空間を洗浄液の流路として用い、噴霧動作開始時にノズル開閉バルブ（Ｖ１  ）からノズル迄の間に滞留する空気を短時間に空気抜きする前記（２）に記載の霧洗浄器である。
【００１５】
（５）本発明は、前記温風発生機構が、所定の風量の風を送出する送風ファンと、前記風を所定の温度に加熱する温風加熱手段と、からなる前記（１）に記載の霧洗浄器である。
【００１６】
（６）本発明は、噴霧動作の開始時は、前記温風発生機構の起動後、前記霧発生機構のポンプを起動させる前記（１）、（２）又は（５）に記載の霧洗浄器である。
【００１７】
（７）本発明は、噴霧動作の開始時は、前記温風発生機構及び前記霧発生機構のポンプを略同時に起動させる前記（１）、（２）又は（５）に記載の霧洗浄器である。
【００１８】
（８）本発明は、噴霧動作の停止時は、前記温風発生機構及び前記霧発生機構のポンプを略同時に停止させる前記（１）、（２）又は（５）に記載の霧洗浄器である。
【００１９】
（９）本発明は、噴霧動作の開始前に主パイプ及びポンプ内に残留する空気を抜く空気抜き処理を行う前記（１）又は（２）に記載の霧洗浄器である。
【００２０】
（１０）本発明は、前記空気抜き処理が、前記ノズル開閉バルブ（Ｖ１  ）を遮断状態にして、ノズルへの洗浄液の供給を遮断し、前記分岐点開閉バルブ（Ｖ２  ）のポンプ側の主パイプ及び副パイプを導通状態にし、ノズル側の主パイプを遮断状態にし、前記空気吸入孔開閉バルブ（Ｖ３  ）の空気吸入孔を遮断状態にし、同主パイプ側を導通状態にして、主パイプから副パイプへ所定の圧力に加圧した洗浄液を流すことにより、ポンプ及び主パイプの一部に残留する空気を抜きを行う前記（９）に記載の霧洗浄器である。
【００２１】
（１１）本発明は、噴霧動作の停止（温風発生機構及び霧発生機構のポンプの停止）後にポンプ及び主パイプの一部に残留する洗浄液を抜く液抜き処理を行う前記（１）又は（２）に記載の霧洗浄器である。
【００２２】
（１２）本発明は、前記液抜き処理が、前記ノズル開閉バルブ（Ｖ１  ）を遮断状態にし、前記分岐点開閉バルブ（Ｖ２  ）のポンプ側の主パイプを導通状態にし、同副パイプ側を導通状態にし、前記空気吸入孔開閉バルブ（Ｖ３  ）の空気吸入孔を導通状態にし、同主パイプの洗浄液タンク側を遮断状態にして、空気吸入孔から取り込んだ空気をポンプにより加圧した空気を主パイプ、副パイプの流路で流すことにより、ポンプ及び主パイプの一部に残留する洗浄液を洗浄液タンクに落下させて残留洗浄液の液抜きを行う前記（１１）に記載の霧洗浄器である。
【００２３】
（１３）本発明は、前記洗浄液が、水を主成分とし、抗菌又は殺菌作用を有する前記（１）、（２）、（３）、（４）、（１０）、（１１）又は（１２）に記載の霧洗浄器である。
【００２４】
【発明の実施の形態】
以下、本発明の実施の形態を説明する。
本発明は、洗浄作用の良好な所定の粒径及び所定の温度の霧（ミスト）を洗浄対象体に噴霧する霧洗浄器に関するものであり、好ましくは、前記粒径が２０〜５０μｍで、霧の温度が３５〜４５゜Ｃである。
【００２５】
本発明の霧洗浄器は、洗浄対象体表面に到達した霧の温度（３５〜４５゜Ｃ）より高温で且つ所定の洗浄液圧で所定の粒径（２０〜５０μｍ）の霧を噴射する霧発生機構と、前記霧発生機構から噴射する霧の温度以上の温風を霧の周囲を包むようにして洗浄対象物の方向に所定の風量の温風を送出する温風発生機構と、前記霧発生機構における霧の温度及び洗浄液の印加圧力、温風発生機構における風の温度及び風量、並びに前記霧発生機構及び温風発生機構の起動、停止及びバルブの開閉制御を行う制御機構と、装置の各種設定値の設定及び操作を行うための操作部と、前設定値及び装置の動作状態等を表示する表示部と、から構成される。
【００２６】
前記霧発生機構は、液圧が所定値以上で且つトリガスイッチ２６がオンの状態で霧をその先端から洗浄対象体の方向に噴射するノズル２１と、その一端をノズル２１に、他端を液供給路（主パイプ）Ｒ１  に夫々接続する円筒状の洗浄液加熱ユニット（以後、液加熱ユニットという。）２３と、前記液加熱ユニット２３の内壁に密着して内挿され、その表面にヘリカル状の溝が形成された略円柱状のヘリカルブロック２３Ａと、洗浄液タンク３に蓄えられた洗浄液をポンプＰの圧力によりノズル２１及び洗浄液加熱ユニット２３とヘリカルブロック２３Ａからなる洗浄液液供給路に供給する液供給路（主パイプ）Ｒ１  と、その先端が液供給路Ｒ１  の途中に接続し、液供給路Ｒ１  内に残存する洗浄液又は空気を抜くためのバイパス流路（副パイプ）Ｒ２  と、液供給路Ｒ１  に供給される洗浄液を所定温度に加熱する液加熱ヒータ２２と、液供給路Ｒ１  内の洗浄液を所定の圧力に加圧するポンプＰと、ノズル２１への洗浄液の供給を導通又は遮断するノズル開閉バルブＶ１  と、前記液供給路Ｒ１  とバイパス流路Ｒ２  の分岐点に設置され、液供給路Ｒ１  のノズル側、液供給路Ｒ１  のポンプ側、バイパス流路Ｒ２  側の夫々の導通又は遮断する分岐点開閉バルブＶ２  と、液供給路Ｒ１  のポンプと洗浄液タンクとの間の空気吸入孔Ｒ３  近傍に設けられ、液供給路Ｒ１  と空気吸入孔Ｒ３  の夫々の導通又は遮断する空気吸入孔開閉バルブＶ３  と、洗浄液タンク３と、から構成される。
【００２７】
前記液加熱ユニット２３及びヘリカルブロック２３Ａについて説明する。
液加熱ユニット２３は、図５（ｂ）及び（ｃ）に示すように、その形状が円筒状で、その一端をノズル２１に、他端を液供給路（主パイプ）Ｒ１  に夫々接続する。そして、ヘリカルブロック２３Ａは、図５（ａ）に示すように、その形状は円柱状で、その表面に、洗浄液又は内部に滞留する空気の通路となるヘリカル状の溝が形成される。そして、ヘリカルブロック２３Ａは、図５（ｃ）に示すように、前記洗浄液加熱ユニット２３内にその内壁に密着して内挿される。前記溝の幅及び深さはその液圧及び溝の長さとの関係により、その値を最適値に設定することにより、洗浄液加熱ユニット２３の内壁とヘリカルブロック２３Ａの溝とにより形成された空間内に滞留する空気を加圧された液により短時間で効率良くノズル２１の先端から排出される。なお、前記ヘリカルブロック２３Ａを洗浄液加熱ユニット２３内に挿入しない場合、又はヘリカルブロック２３Ａの溝の幅が広いか又は深い場合は、加圧した洗浄液で溝に滞留する空気をノズル先端から外部に排出することができないか、又は排出に時間を要すると問題が生じる。
【００２８】
ポンプＰは、液供給路Ｒ１  中の洗浄液７又は空気を液供給路Ｒ１  及びバイパス流路Ｒ２  に送り込むためのものである。
【００２９】
前記本発明のノズル２１は、図１に示すように、洗浄液圧が所定値以下の時に、ノズル孔を閉じるノズルシャッター（図示省略）を設けたものを使用する。液圧が一定値以上で且つトリガスイッチがオンの状態で噴霧動作が開始されても液圧が所定値以下ではノズルシャッターは「閉」状態のため、液漏れが発生することはない。
【００３０】
前記温風発生機構は、図１に示すように、所定の風量の風を送出する送風ファン２５と、前記風を所定の温度に加熱する空気加熱ヒータ２４と、から構成され、ノズル２１の先端から噴霧する霧の周囲を取り囲むようにこの霧の温度より高温の温風を所定の速度（風量）で発生し、前記噴霧する霧を加熱し、洗浄面に向かって加速且つ拡散させる。洗浄面では霧の粒径は僅かに減少する。
【００３１】
前記制御機構は、図１に示すように、マイクロコンピュータによるプログラム制御を行う制御部４からなり、制御部４は、装置全体の動作を制御するシーケンス制御部４１、液供給路Ｒ１  内の洗浄液の液圧を制御する液制御部４２、液供給路Ｒ１  内の洗浄液の液温を制御する液温度制御部４３、前記温風発生機構の風量を制御する風量制御部４４、前記温風発生機構の風温を制御する風温制御部４５、前記霧発生機構に設けられたノズル開閉バルブＶ１  、分岐点開閉バルブＶ２  及び空気吸入孔開閉バルブＶ３  の開閉制御を行うバルブ制御部４６から構成される。なお、制御部４は、シワートッブ２内に収納するのが望ましいが、必要に応じて、ポンプＰや洗浄液タンク３が収納される本体内に収納してもよい。
【００３２】
前記操作部５は、図７に示すように、装置を始動又は停止させるためのメイン・スイッチ（電源スイッチ）、霧の温度を複数の段階に設定可能な霧温度設定スイッチ、風速を複数の段階に設定可能な風速設定スイッチ、液抜き動作を行うための液抜きスイッチ等が設けられる。
【００３３】
前記表示部６は、前記操作部５のスイッチの操作状態、アラーム表示等の表示を行う部分であり、操作部５がある操作パネル上に設けるか、又は別途独立して設けてもよい。
【００３４】
霧洗浄器１は物理的な構成としては、シャワートップ２と本体とからなる。シャワートップ２は、図８に示すように、その先端部に温風及び霧が噴射できるように開口部が、後端部には送風に必要な空気穴が夫々設けられる。そして、シャワートップ２は、霧を洗浄対象体に噴霧する主要機構であるノズル２１、液加熱ヒータ２２、洗浄液加熱ユニット２３、ヘリカルブロック２３Ａ、空気加熱ヒータ２４、送風ファン２５、ノズル開閉バルブＶ１  、ノズル２１に接続する液供給路（主パイプ）Ｒ１  の一部等が収納され、小型且つ軽量で手で把持可能で、把持部に設けられたトリガ・スイッチ２６の操作により噴霧のオン・オフができる。
【００３５】
本体（図示省略）は、ボンプＰ、洗浄液タンク３、分岐点開閉バルブＶ２  、空気吸入孔開閉バルブＶ３  、液供給路（主パイプ）Ｒ１  及びバイパス流路（副パイプ）Ｒ２  等かそのケース内に収納され、その上面に前記操作部５、表示部６が設けられる。更に、電源部（図示省略）は家庭用電源から電力供給を受けて、装置内の各部に必要な電圧及び電流を供給する。
【００３６】
本発明の霧洗浄器の動作について、図２に示す動作フローを用いて以下に説明する。
先ず、装置の始動に先立って、操作部（操作パネル）５の風速及び霧温度を所望の値に設定する。その後、メインスイッチのオンにより、装置は動作を開始する。装置の始動により、先ず、液加熱ヒータ２２が作動してノズル２１の近傍のパイプ（液供給路Ｒ１  ）内の洗浄液が加熱される。それと同時に、後述の空気抜き処理が行われる。その後、待機状態となる。
【００３７】
次に、前記待機状態において、トリガスイッチ２６のオンにより、送風ファン２５、空気加熱ヒーター２４、ポンプＰの順に作動し、所望の霧の噴霧動作が開始する。その際の各バルブの開閉状態は、図６に示すように、ノズル開閉バルブＶ１  を「開」状態、分岐点開閉バルブＶ２  のバルブＶ２１を「開」状態、同バルブＶ２２を「開」状態、同バルブＶ２３を「閉」状態、空気吸入孔開閉バルブＶ３  のバルブＶ３１を「閉」状態、バルブＶ３２を「開」状態である。洗浄期間中は、前記霧の噴霧状態が継続する。
【００３８】
噴霧動作について説明する。
ノズル２１に接続された液供給路Ｒ１  中の洗浄液７をの温度を洗浄液加熱ヒータ２２により操作部５で設定された所定の値に調整し、且つ洗浄液加圧ポンプＰにより同洗浄液７の液圧を操作部５で設定された所定の値に調整する。
【００３９】
前記噴霧動作開始時に、送風ファン２５、空気加熱ヒーター２４、ポンプＰの順に作動させる理由は、先ず、温風発生機構により温風をノズル２１周囲から洗浄対象体方向に勢い良く発生させて、ノズル２１内に残存する洗浄液を霧化し且つ消滅させ、ノズル２１からの洗浄液の液ダレを防止するためである。
【００４０】
そして、トリガスイッチ２６のオフにより、空気加熱ヒーター２４、送風ファン２５、ポンプＰの順に停止し、前記霧の噴霧状態が停止し、待機状態となる。前記待機状態において、操作部（操作パネル）５上の液抜きスイッチのオンにより、後述の液抜き処理が行われる。更に、前記待機状態において、メインスイッチのオフにより、洗浄液加熱ヒータ２２が停止して、装置は完全な停止状態となる。
【００４１】
前記噴霧動作停止時に、空気加熱ヒーター２４、送風ファン２５、ポンプＰの順に作動させる理由は、温風発生機構による温風により、ノズル２１内に残存する洗浄液（滴（しずく）程度）を霧化し且つ消滅させて、ノズル２１からの洗浄液の液ダレを防止するためである。
【００４２】
前記空気抜き処理は、ポンプＰ及び液供給路Ｒ１  内に残留する空気を除去するもので、図３に示すように、ポンプＰにより洗浄液タンク３の洗浄液を吸入して、洗浄液を液供給路Ｒ１  、液供給路Ｒ１  とバイパス流路Ｒ２  との分岐点、バイパス流路Ｒ２  の経路で流すことにより、ポンプＰ及び液供給路Ｒ１  内に残留する空気を洗浄液タンク３に押し出し、その後、空気は洗浄液タンク３の空気穴３１から外部に排出される。
【００４３】
前記空気抜き処理を行う場合、図６に示すように、ノズル開閉バルブＶ１  を「閉」状態、分岐点開閉バルブＶ２  のバルブＶ２１を「閉」状態、同バルブＶ２２を「開」状態、同バルブＶ２３を「開」状態、空気吸入孔開閉バルブＶ３  のバルブＶ３１を「閉」状態、バルブＶ３２を「開」状態にする。
【００４４】
前記液抜き処理は、ポンプＰ及び液供給路Ｒ１  内に残留する洗浄液を除去するもので、図４に示すように、ポンプＰと洗浄液タンク３の間の液供給路Ｒ１  に設けた空気吸入孔Ｒ３  からポンプＰの吸引力により空気を吸引し、空気を液供給路Ｒ１  、液供給路Ｒ１  とバイパス流路Ｒ２  との分岐点、バイパス流路Ｒ２  の経路で流すことにより、ポンプＰ及び液供給路Ｒ１  内に残留する洗浄液を洗浄液タンク３に排出する。
【００４５】
前記液抜き処理を行う場合、図６に示すように、ノズル開閉バルブＶ１  を「閉」状態、分岐点開閉バルブＶ２  のバルブＶ２１を「閉」状態、同バルブＶ２２を「開」状態、同バルブＶ２３を「開」状態、空気吸入孔開閉バルブＶ３  のバルブＶ３１を「開」状態、バルブＶ３２を「閉」状態にする。
【００４６】
前記洗浄液は水を主成分とし、液中に抗菌又は殺菌剤を含有する液で、このような液を用いることにより、細菌等の繁殖により洗浄液が腐敗し、液供給路Ｒ１  、バイパス流路Ｒ２  、ポンプＰ、ノズル２１、各バルブ等が損傷するのを防止すると共に、洗浄対象体を洗浄する際にも、洗浄対象体に対して抗菌又は殺菌作用を付与するという、効果を有する。
なお、洗浄液が抗菌又は殺菌作用が無い場合には、装置不使用時に洗浄液の腐敗又はぬめりの発生により、霧発生機構の洗浄液が滞留又は通過する各部材、特に、ノズル２１、液供給路Ｒ１  、バイパス流路Ｒ２  、洗浄液開閉バルブＶ１  、分岐点開閉バルブＶ２  、空気吸入孔開閉バルブＶ３  、洗浄液加圧ポンプＰ、洗浄液タンク７等に腐蝕又は目詰まりが発生する恐れがあるので、装置の機能を長期間安定して保持するため、洗浄液は抗菌作用又は殺菌作用のあるものを用いる必要がある。
【００４７】
洗浄対象体に到達する霧の条件について、以下に説明する。
霧は円錐状に噴射され、到達点での直径は２０〜２５ｃｍ、霧の噴射角度（中心線とのなす角度）は６０度が最適条件であり、これら数値の多少増減は洗浄効果に影響を及ぼすものではない。ノズル先端から洗浄対象面迄の距離（ｃｍ）及び直径を満足するように、洗浄液の圧力及び風圧（風量）を適度に設定制御する。
【００４８】
本発明の霧洗浄器１により、前記粒径が２０〜５０μｍで、霧の温度が３５〜４５゜Ｃの霧を洗浄対象体に噴霧した場合の洗浄作用について説明する。
洗浄対象体である人間の皮膚は通常は水分含有量が略２０％に保持する作用があり、適温（好ましくは、３５〜４５゜Ｃ）の粒径２０〜５０μｍの霧を皮膚に噴射することにより、皮膚の内部まで水分が吸収され、水分含有量が略２０％を越えるまでになり、その後、皮膚の内部まで浸透した水分は皮膚の水分含有量が略２０％になるまで内部から余分な水分として皮膚表面に浮き出て外部に放出される。前記内部に浸透した余分な水分が皮膚表面に浮き出る際に、皮膚表面に付着又は存在するよごれ物質が前記余分な水分と共に浮き出る。前記よごれ物質を含んだ余分な水分は皮膚表面上で表面張力により水玉模様となり皮膚に付着した状態に留まり液ダレはしない。
【００４９】
その結果、浮き出たよごれ物質を含んだ余分な水分を消毒済のガーゼ等の綺麗な吸水性の布で吸い取る（又は皮膚を傷つけることなく拭き取る）ことにより、皮膚を洗浄することができる。前記霧により洗浄する場合、霧を発生するための洗浄液の量は少量であり、装置自体も小型且つ軽量で、ポータブルなものである。従って、病院、老人の介護施設等のベットの上で簡単に人体の洗浄を行うことができる。なお、消臭、抗菌又は殺菌処理する場合にはこれらの機能を有する洗浄液を用いる。
【００５０】
更に、装置の機能を長期間安定して保持するために、抗菌又は殺菌作用のある洗浄液を用いる必要がある。
【００５１】
【発明の効果】
本発明の霧洗浄器は、粒径が２０〜５０μｍで、霧の温度が３５〜４５゜Ｃの霧を洗浄対象体に噴霧するので、皮膚表面に浮き出た余分な水分と皮膚表面に付着又は存在するよごれ物質は皮膚表面上で表面張力により水玉模様となり皮膚に付着した状態に留まり液ダレを防止する。
【００５２】
本発明の霧洗浄器は、噴霧動作開始前に空気抜き処理を行うことにより、ポンプ及び液供給路内に残留する空気を除去して、噴霧動作開始時に洗浄液の液圧及び液温を短時間で設定値に設定することができる。
【００５３】
本発明の霧洗浄器は、ノズルにノズルシャッター及びノズル開閉バルブ等を設けることにより、ノズル先端からの液ダレを防止することができる。
【００５４】
本発明の霧洗浄器は、噴霧動作停止後に液抜き処理を行うことにより、ポンプ及び液供給路内に残留する洗浄液を洗浄液タンクに排出することにより、ポンプ及び液供給路の腐蝕又は損傷を防止して、装置の耐久性を向上することができる。
【００５５】
本発明の霧洗浄器は、前記液加熱ユニットとその内壁に密着して内挿されるヘリカルブロックの表面に形成されたヘリカル状の溝とにより形成される空間を洗浄液又は内部に滞留する空気の通路とし、前記溝の幅及び深さを液圧及び溝の長との関係から最適値に設定して、前記空間内に滞留する空気を加圧された液により短時間で効率良くノズルの先端から排出することができる。
【図面の簡単な説明】
【図１】本発明の霧洗浄器の概略構成（通常の噴霧動作を示す）図である。
【図２】本発明の霧洗浄器の動作フローチャートである。
【図３】本発明の霧洗浄器の空気抜き処理時の状態を示す図である。
【図４】本発明の霧洗浄器の液抜き処理時の状態を示す図である。
【図５】（ａ）本発明の霧洗浄器のヘリカルブロックの構成図（平面図）である。
（ｂ）本発明の霧洗浄器の液加熱ユニットの構成図（平面図）である。
（ｃ）本発明の霧洗浄器の液加熱ユニットにヘリカルブロックを内挿した状態の構成図（断面図）である。
【図６】本発明の霧洗浄器に設置された洗浄液開閉バルブＶ１  、分岐点開閉バルブＶ２  、空気吸入孔開閉バルブＶ３  の通常の噴霧動作時、空気抜き処理時、液抜き処理時における状態を示す図である。
【図７】本発明の霧洗浄器の操作部（操作パネル）の概略構成図である。
【図８】本発明の霧洗浄器のシャワートップの概略構成図である。
【符号の説明】
１      霧洗浄器
２      シャワートップ
２１    ノズル
２２    洗浄液加熱ヒータ
２３    洗浄液加熱ユニット
２３Ａ  ヘリカルブロック
２４    空気加熱ヒーター
２５    送風ファン
２６    トリガスイッチ
３      洗浄液タンク
３１    空気穴
４      制御部
４１    シーケンス制御４１
４２    液圧制御
４３    液温度制御
４４    風量制御
４５    風温制御
４６    バルブ制御
５      操作部
６      表示部
７      洗浄液
Ｐ      洗浄液加圧ポンプ
Ｒ１      洗浄液供給路（主パイプ）
Ｒ２      バイパス流路（副パイプ）
Ｒ３      空気吸入孔
Ｖ１      ノズル開閉バルブ
Ｖ２      分岐点開閉バルブ
Ｖ３      空気吸入孔開閉バルブ
【図１】
2004313933.tif 000003
【図２】
2004313933.tif 000004
【図３】
2004313933.tif 000005
【図４】
2004313933.tif 000006
【図５】
2004313933.tif 000007
【図６】
2004313933.tif 000008
【図７】
2004313933.tif 000009
【図８】
2004313933.tif 000010